(57)【要約】      （修正有）【課題】位置交換可能な経鼻挿管を提供する。【解決手段】送り管Ａの末端が強化可撓管３０により２つの挿管５２が成形される挿管用部材５０の側壁に結合され、挿管用部材５０は端部が締め具により連接される鼻部の固定用バンド６０に設けられ、鼻部の固定用バンド６０により締め具は挿管用部材５０を人体鼻部の前に安定的に固設させ、栓部５３により挿管用部材５０の端を閉塞し位置交換可能な経鼻挿管を形成させる。２つの挿管５２を人体鼻孔に挿着させて酸素を入気させ、酸素源の位置に合わせ栓部５３及び強化可撓管３０の位置を交換させる体積の小さい軽量な鼻挿管を形成させ、鼻挿管の単管路送気構造により患者の環境に合わせて酸素の吸入方向を調整させ、患者の使用時の快適性を高める目的を達成させる。【選択図】図３
0003189570.tif 000002
【実用新案登録請求の範囲】
【請求項１】
人体の頭部に装着させて使用され、気体を送気させると共に端部には連接部材が設けられる送り管が結合される位置交換可能な経鼻挿管であって、前記経鼻挿管は、
対向する両端には吸気端部及び排気端部が成形され、前記吸気端部と前記排気端部との間には止め輪部が成形され、前記送り管の連接部材は前記吸気端部の外に覆設される管の結合用部材と、
対向する両端には吸気口及び排気口を有し、前記吸気口は前記管の結合用部材の排気端部の外に覆設されると共に前記管の結合用部材の止め輪部に当接される強化可撓管と、
対向する両端には吸気端部及び排気端部が成形され、前記吸気端部と前記排気端部との間には止め輪部が成形され、前記強化可撓管の排気口は前記吸気端部の外に覆設され、前記強化可撓管の排気口は前記止め輪部に当接される管の連接部材と、
対向する２つの管口が成形される吸気管を有し、前記２つの管口の間は前記吸気管の同側の管壁から延伸される２つの挿管が成形され、前記管口の何れか１つは前記管の連接部材の排気端部の外に覆設されて前記強化可撓管に連接され、前記管口は前記管の連接部材の止め輪部に当接され、他の管口は閉鎖される栓部である挿管用部材と、
ベルトの中段には中空のカバーが成形され、前記ベルトの対向する両端には人体の頭部に固定される固着部材が設けられ、前記カバーには溝部が開設され、前記挿管用部材は前記カバーに内設され、前記２つの挿管は前記溝部から穿通され、前記挿管用部材は前記管の連接部材、前記強化可撓管、及び前記管の結合用部材により前記送り管に連通されて単管路送気構造を構成させる鼻部の固定用バンドを備えることを特徴とする、
位置交換可能な経鼻挿管。
【請求項２】
前記管の結合用部材の吸気端部の外には漏れ防止用ワッシャーが設けられ  、前記送り管連接部材と前記管の結合用部材の吸気端部との間の隙間を密封させることを特徴とする、請求項１に記載の位置交換可能な経鼻挿管。
【請求項３】
前記管の結合用部材の前記止め輪部と前記吸気端部との間には当接部が凸設され、留め金部は前記管の結合用部材の前記当接部と前記止め輪部との間に覆設され、前記留め金部の一側には孔部が成形されると共につり鎖のホック部材に係合されることを特徴とする、請求項１に記載の位置交換可能な経鼻挿管。
【請求項４】
前記強化可撓管はプラスチック製の可撓管の外部に螺旋状の金属管が設置されることで構成されることを特徴とする、請求項１に記載の位置交換可能な経鼻挿管。
【請求項５】
前記固着部材はバンドの両端が各々結合部材により前記ベルトに結合され、前記結合部材にはリングの調整部が成形されて前記バンドを穿設させて結合させ、孔部は前記ベルトの端部の凸状ボタンに係着させて結合させることを特徴とする、請求項１に記載の位置交換可能な経鼻挿管。
【請求項６】
前記固着部材は２つの耳掛け部により組成され、各前記耳掛け部は結合部材により前記ベルトに結合され、前記結合部材にはリングの調整部が成形されて前記耳掛け部のベルト部を穿設させて結合させ、孔部は前記ベルトの端部の凸状ボタンに係着されて結合されることを特徴とする、請求項１に記載の位置交換可能な経鼻挿管。
【請求項７】
前記送り管の前記連接部材内には更に感知部材が設置され、前記感知部材は前記連接部材から前記管の結合用部材、前記強化可撓管、及び前記管の連接部材を経由し前記挿管用部材まで沿線される検知線に電気的に接続され、人体の呼吸状態を検知させることを特徴とする、請求項１に記載の位置交換可能な経鼻挿管。
【請求項８】
前記挿管用部材の前記吸気管は内壁が平滑な直管形態として成形されることを特徴とする、請求項１に記載の位置交換可能な経鼻挿管。
【考案の詳細な説明】
【技術分野】
【０００１】
本考案は、気体の入気方向が調整可能な位置交換可能な経鼻挿管に関する。
【背景技術】
【０００２】
図１は従来の酸素マスク１０である。主に呼吸困難な患者や酸欠状態の患者への酸素吸入に用いられる。マスク本体１１により鼻口と外界とを隔絶させ、酸素調節機は吸気管１２を通し送気される一定の酸素濃度及び一定の圧力を有する酸素をマスク本体１１内に流入させて患者の呼吸器官に吸入させる。
ここで、酸素マスク１０には鼻口と外界とを隔絶させつつ患者の呼気を排気させるために排気装置１３を設置させる必要があり、これが酸素マスク１０自体の重量を増加させた。またマスク本体１１にはバンド１１１を設置せねばならず、排気装置１３にも他のバンド１３１を設置し、酸素マスク１０を患者頭部に安定的に装着する。
【考案の概要】
【考案が解決しようとする課題】
【０００３】
しかしながら、前述した従来の酸素マスク技術では、重量を増加させるのみならず、装着後には体を動かしにくくなり床ずれ等が増加し患者が適応し難くなるといった問題があった。
また、送り管から酸素を吸入させる鼻挿管構造は、実際の使用に於いては、一般的な鼻カニュラでは１〜１０ＬＰＭ（Ｌ／ｍｉｎ）の流量しか供給出来ず、送り管が閉塞すると同量の流量の酸素を患者の鼻孔内に送れなくなる問題が起こる。
さらに、管が多いため使用時に引っ張られやすい等の問題もあり、患者が長期間同じ姿勢で寝ていると床ずれし易い。故に従来の酸素吸入用の酸素マスク１０には改善の余地がある。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、位置交換可能な経鼻挿管を提供することを主目的とする。
本考案は、吸気管の末端は強化可撓管により挿管用部材に結合され、挿管用部材は直管形態として成形され且つ内壁は平滑な吸気管であり、直管形態の挿管用部材の側壁には人体の鼻孔に挿着させる２つの挿管が成形され、単管路送気構造を有する鼻挿管を形成させ、同じ流量の酸素を患者の鼻孔に送気させる目的を達成させる。
【０００６】
また、本考案は、位置交換可能な経鼻挿管の挿管用部材は、端部と締め具とは連結される鼻部の固定用バンドに設けられ、鼻部の固定用バンド及び締めにより挿管用部材を人体の鼻部の前に安定的に固設させ、栓部により挿管用部材の端を塞ぎ位置交換可能な経鼻挿管を形成させる２つの挿管を人体の鼻孔に挿着させて酸素を吸入させる。
患者が体を動かし位置を変えると栓部及び強化可撓管の位置を変更させる。また体積も小さく軽量な鼻挿管であり、鼻挿管の単管路送気構造は患者の環境に合わせて酸素の吸入方向を調整させ、管を簡略化させて装着を容易にし、患者にとっての使用上の快適性を高める目的を達成させる。
【課題を解決するための手段】
【０００７】
上述した課題を解決し、目的を達成するために、本考案に係る位置交換可能な経鼻挿管は、人体の頭部に装着させて使用され、気体を送気させると共に端部には連接部材が設けられる送り管が結合される位置交換可能な経鼻挿管であって、前記鼻挿管は、対向する両端には吸気端部及び排気端部が成形され、前記吸気端部と前記排気端部との間には止め輪部が成形され、前記送り管連接部材はそれの吸気端部の外に覆設される管の結合用部材と、対向する両端には吸気口及び排気口を有し、それの吸気口は前記管の結合用部材の排気端部の外に覆設されると共に前記管の結合用部材の止め輪部に当接される強化可撓管と、対向する両端には吸気端部及び排気端部が成形され、前記吸気端部と前記排気端部との間には止め輪部が成形され、前記強化可撓管の排気口はそれの吸気端部の外に覆設され、前記強化可撓管の排気口はそれの止め輪部に当接される管の連接部材と、対向する２つの管口が成形される吸気管を有し、前記２つの管口の間は前記吸気管の同側の管壁から延伸される２つの挿管が成形され、何れか１つの管口は前記管の連接部材の排気端部の外に覆設されて前記強化可撓管に連接され、前記管口は前記管の連接部材の止め輪部に当接され、他の管口は閉鎖される栓部である挿管用部材と、ベルトの中段には中空カバーが成形され、前記ベルトの対向する両端には人体の頭部に固定される固着部材が設けられ、前記カバーには溝部が開設され、前記挿管用部材は前記カバーに内設され、前記２つの挿管は前記溝部から穿通され、前記挿管用部材は前記管の連接部材、前記強化可撓管、及び前記管の結合用部材により前記送り管に連通されて単管路送気構造を構成させる鼻部の固定用バンドを備えることを特徴とする。
【０００８】
さらに、患者が本考案を使用中に無意識の動作で送気構造を引っ張り挿管用部材の前記２つの挿管が抜脱されるのを防ぐ。
本考案による管の結合用部材は、止め輪部と吸気端部との間には留め金部が覆設される当接部が凸設され、且つ管の結合用部材の当接部と止め輪部との間に定位されるのが最も好ましい。留め金部の一側にはつり鎖のホック部材に係合される孔部が成形され、患者はつり鎖により本考案をより安定させて使用可能である。
【図面の簡単な説明】
【０００９】
【図１】従来の酸素マスクの使用状態図である。
【図２】本考案の第一実施形態に係る位置交換可能な経鼻挿管の使用状態図である。
【図３】本考案の第一実施形態に係る位置交換可能な経鼻挿管の傾斜構造の分解図である。
【図４】本考案の第一実施形態に係る位置交換可能な経鼻挿管の他の使用状態図である。
【考案を実施するための形態】
【００１０】
以下に図面を参照して、本考案を実施するための形態について、詳細に説明する。なお、本考案は、以下に説明する実施形態に限定されるものではない。
【実施例】
【００１１】
以下、本考案の位置交換可能な経鼻挿管を図２〜４に基づいて説明する。
図２及び図３に示すように、前記鼻挿管は人体の頭部Ｈに装着されて使用され、気体を吸入させ、端部は連接部材Ａ１が設けられる送り管Ａに結合される。
この好ましい実施形態では、送り管Ａは高流量システム（Ｈｉｇｈ  Ｆｌｏｗ  Ｔｈｅｒａｐｙ）に結合され、送気される流量は最高５０ＬＰＭ（Ｌ／ｍｉｎ）、圧力は８ＣＭ  Ｈ２Ｏに達し、送り管Ａの管径は４〜１０ｍｍから選択でき、好ましくは４ｍｍ、５ｍｍ、或いは６ｍｍの挿管用部材５０に結合される。また、鼻挿管は、単管路送気構造を構成させる管の結合用部材２０、強化可撓管３０、管の連接部材４０、軟質の挿管用部材５０、及び単管路送気構造を人体の頭部Ｈに固定させる鼻部の固定用バンド６０を備える。
【００１２】
管の結合用部材２０の対向する両端は吸気端部２１及び排気端部２２として成形され、吸気端部２１と排気端部２２との間には止め輪部２３が成形され、送り管Ａの連接部材Ａ１は管の結合用部材２０の吸気端部２１の外に覆設される。
本実施例による管の結合用部材２０の吸気端部２１の外には漏れ防止用ワッシャー２４が設けられて送り管Ａの連接部材Ａ１と管の結合用部材２０の吸気端部２１との間の隙間を密封させ、送り管Ａから吸入される気体を漏れないようにする。
【００１３】
強化可撓管３０の対向する両端には吸気口３１及び排気口３２を有し、強化可撓管３０の吸気口３１は管の結合用部材２０の排気端部２２の外に覆設され、強化可撓管３０の吸気口３１は管の結合用部材２０の止め輪部２３に当接する。
本実施例による強化可撓管３０はプラスチック製の可撓管３３の外部に螺旋状の金属管３４を設置させることで構成され、螺旋状の金属管３４は金属コイルが巻回されることで成形されると共に変形能力を有し、プラスチック製の可撓管３３の保護構造を形成する。
【００１４】
管の連接部材４０の対向する両端は吸気端部４１及び排気端部４２として成形され、吸気端部４１と排気端部４２との間には止め輪部４３が成形され、強化可撓管３０の排気口３２は管の連接部材４０の吸気端部４１の外に覆設され、強化可撓管３０の排気口３２は管の連接部材４０の止め輪部４３に当接する。
【００１５】
挿管用部材５０は直管形態であり内壁が平滑な吸気管５１を有し、吸気管５１には対向する２つの管口５１１及び管口５１２が成形され、２つの管口５１１及び管口５１２の間には吸気管５１の同側の管壁から２つの挿管５２が延伸されて成形される。
挿管用部材５０の内の何れか１つの管口５１１は管の連接部材４０の排気端部４２の外に覆設されて強化可撓管３０に連結され、挿管用部材５０の管口５１１は管の連接部材４０の止め輪部４３に当接され、挿管用部材５０の他の管口５１２は閉鎖させる栓部５３である。
【００１６】
鼻部の固定用バンド６０のベルト６１の中段には中空カバー６２が成形され、ベルト６１の対向する両端には人体の頭部Ｈに固定される固着部材６３が設けられ、カバー６２には溝部６２１が開設され、軟質の挿管用部材５０はカバー６２に内設され、２つの挿管５２は溝部６２１に穿通されて使用される。
挿管用部材５０は管の連接部材４０、強化可撓管３０、及び管の結合用部材２０により送り管Ａに連通されて単管路送気構造を構成する。
本考案の単管路送気構造を有する鼻挿管の挿管用部材５０は鼻部の固定用バンド６０に装設された後、栓部５３及び強化可撓管３０の挿管用部材５０に装設される位置を交換させ、患者の環境に合わせて鼻挿管の管を調整させ、管が長過ぎて引っ張られやすくなるのを防ぎ、同時に患者が体を動かしても他の管路と絡まらず、確実に管の簡略化を達成させ、装着も容易であり尚且つ患者の使用上の快適性の向上の目的をも達成させる。
【００１７】
なお、鼻挿管を使用する患者が無意識状態にある場合、患者が無意識の動作により鼻挿管を引っ張るのを防止する。
本考案による管の結合用部材２０の止め輪部２３と吸気端部２１との間には当接部２５が凸設され、留め金部２６は管の結合用部材２０の当接部２５及び止め輪部２３の間に覆設され、留め金部２６の一側には孔部２６１が成形されると共につり鎖２７のホック部材２７１に係合され、損壊を防ぎ且つ使用上の快適性を確保し、確実に鼻挿管を安定的に設置させる構造を形成する（図２参照）。
【００１８】
鼻挿管を使用する患者の健康状態及び使用習慣は様々であり、本考案に係る位置交換可能な経鼻挿管の固着部材６３はバンド６３１或いは２つの耳掛け部６３２の形態として成形される（図２及び図４参照）。
図２に示すように、バンド６３１の両端は結合部材６４によりベルト６１に各々結合され、結合部材６４にはリングの調整部６４１が成形されてバンド６３１を穿設させて結合させ、孔部６４２及びベルト６１の端部の凸状ボタン６１１に係着されて結合される。
また、図４によると、２つの耳掛け部６３２の使用状態は、各耳掛け部６３２は結合部材６４によりベルト６１に結合され、結合部材６４のリングの調整部６４１は耳掛け部６３２のベルト部６３３を穿設させて結合させる。ユーザーはリングの調整部６４１を調整させて固着部材６３を装着する際の締め具合を調整し、固着部材６３の使用形態を容易に変更可能である。
【００１９】
さらに、図４に示すように、患者の呼吸状態を確認し、必要な治療措置を決定するため、本考案に係る位置交換可能な経鼻挿管の他の送り管Ａの連接部材Ａ１には連接部材Ａ１から管の結合用部材２０、強化可撓管３０、及び管の連接部材４０を経て挿管用部材５０まで沿線される検知線Ａ２１に電気的に接続される感知部材Ａ２が内設され、人体の呼吸状態を検知し即報告する。
【００２０】
なお、本考案は前述した実施の形態のみに限定されるものではなく、本考案の要旨を逸脱しない範囲において種々の変更が可能である。
【符号の説明】
【００２１】
１０    酸素マスク
１１    マスク本体
１１１  バンド
１２    吸気管
１３    排気装置
１３１  バンド
Ｈ      人体の頭部
Ａ      送り管
Ａ１    連接部材
Ａ２    感知部材
Ａ２１  検知線
２０    管の結合用部材
２１    吸気端部
２２    排気端部
２３    止め輪部
２４    漏れ防止用ワッシャー  
２５    当接部
２６    留め金部
２６１  孔部
２７    つり鎖
２７１  ホック部材
３０    強化可撓管
３１    吸気口
３２    排気口
３３    プラスチック製の可撓管
３４    螺旋状の金属管
４０    管の連接部材
４１    吸気端部
４２    排気端部
４３    止め輪部
５０    挿管用部材
５１    吸気管
５１１  管口
５１２  管口
５２    挿管
５３    栓部
６０    鼻部の固定用バンド
６１    ベルト
６１１  凸状ボタン
６２    カバー
６２１  溝部
６３    固着部材
６３１  バンド
６３２  耳掛け部
６３３  ベルト部
６４    結合部材
６４１  リングの調整部
６４２  孔部
【図１】
0003189570.tif 000003
【図２】
0003189570.tif 000004
【図３】
0003189570.tif 000005
【図４】
0003189570.tif 000006